(57)【要約】  睫毛用化粧剤のアプリケータ（１２）が、１つの空洞を有するコア（２０）と、この空洞をコアの外部に通じさせる側面穴（２４）とを含む。側面穴は５点形に配置される。
2020501730.tif 000002
【特許請求の範囲】
【請求項１】
１つの空洞を有するコア（２０）と、前記空洞をコアの外部に通じさせる側面穴（２４）とを含み、前記穴が五点形に配置されることを特徴とする睫毛用化粧品のアプリケータ（１２；３２）。
【請求項２】
前記コア（２０）は、前記アプリケータの主軸（１８）に垂直な平面でコアの任意の１つの断面が凸面になるような形状を有する、請求項１に記載のアプリケータ。
【請求項３】
前記穴（２４）の少なくともいくつかが、前記アプリケータの主軸（１８）に平行な長軸を有する、請求項１および２のいずれか一項に記載のアプリケータ。
【請求項４】
前記穴が、前記アプリケータの主軸（１８）に垂直な平面に延びる複数のクラウンを形成し、前記穴（２４）の少なくともいくつかは、それらの長軸に沿って上方および下方の頂点を有し、少なくとも１つの前記穴の上方の頂点は、それよりも上にある連続する１つのクラウンの少なくとも１つの穴の下方の頂点よりも前記アプリケータの遠位端に近い、請求項３に記載のアプリケータ。
【請求項５】
前記穴が、前記アプリケータの主軸（１８）に垂直な平面に延びる複数のクラウンを形成し、１つのクラウンの２個の穴（２４）の間の距離が、前記クラウンの平面に沿って、２個の穴のうちの一方の穴の大きい方の寸法未満である、請求項１から４のいずれか一項に記載のアプリケータ。
【請求項６】
前記穴が、前記アプリケータの主軸（１８）に平行な複数の列を形成し、１つの列の２つの穴（２４）の間の距離が、主軸（１８）に沿って、２個の穴のうちの一方の穴の大きい方の寸法未満である、請求項１から５のいずれか一項に記載のアプリケータ。
【請求項７】
前記穴（２４）の少なくともいくつかが多角形である、請求項１から６のいずれか一項に記載のアプリケータ。
【請求項８】
前記穴（２４）の少なくともいくつかが菱形である、請求項１から７のいずれか一項に記載のアプリケータ。
【請求項９】
前記穴（２４）の少なくともいくつかが同一であり、好ましくはすべての穴（２４）が同一である、請求項１から８のいずれか一項に記載のアプリケータ。
【請求項１０】
各穴（２４）が、前記空洞に向かって配向された法線方向の一段と小さい断面を有し、前記穴の一段と小さい断面の集合が前記コア（２０）の壁の面積の半分未満を占有する、請求項１から９のいずれか一項に記載のアプリケータ。
【請求項１１】
前記穴（２４）が、前記アプリケータの長さの半分未満を形成するアプリケータ区間に延び、前記アプリケータが、好ましくは、このアプリケータの長さの半分以上にわたって突起（３０）を含む、請求項１から１０のいずれか一項に記載のアプリケータ。
【請求項１２】
各穴（２４）が、コアの１周の２０％未満、好ましくは１周の１５％未満、たとえば１周の１０％未満にわたって延びる、請求項１から１１のいずれか一項に記載のアプリケータ。
【請求項１３】
前記穴（２４）の少なくともいくつかが少なくとも１つの外側の面取り部（２６、２８）を有する、請求項１から１２のいずれか一項に記載のアプリケータ。
【請求項１４】
突起（３０）を含み、すべての突起が完全に前記穴（２４）の外に延びている、請求項１から１３のいずれか一項に記載のアプリケータ。
【請求項１５】
前記菱形の穴の少なくともいくつかが８個の突起により囲まれており、すなわち、４個の突起が前記穴の４個の頂点に向かい合って延び、４個の突起が、前記穴の各辺の中央に向かい合って延びている、請求項８および１４に記載のアプリケータ。
【請求項１６】
前記アプリケータの主軸（１８）に平行な列を形成する複数の突起（３０）を含み、前記列の少なくともいくつかが、互いに異なる数の突起を有している、請求項１から１５のいずれか一項に記載のアプリケータ。
【請求項１７】
前記アプリケータの主軸（１８）に垂直なクラウンを形成する複数の突起（３０）を含み、前記クラウンの少なくともいくつかが、互いに異なる数の突起を有している、請求項１から１６のいずれか一項に記載のアプリケータ。
【請求項１８】
単一部品からなる、請求項１から１７のいずれか一項に記載のアプリケータ。
【請求項１９】
化粧品のリザーバと、請求項１から１８のいずれか一項に記載のアプリケータとを含む化粧品（２）。
【請求項２０】
請求項１から１８のいずれか一項に記載のアプリケータ（１２；３２）の付加合成による製造方法であって、
−前記アプリケータに関するデータを得る工程、および、
−データにより前記アプリケータを付加合成する工程
を含む製造方法。
【請求項２１】
請求項２０に記載の方法の実施を命令するためにコンピュータプログラムにより使用可能なデータを含む、情報処理ファイル。
【請求項２２】
請求項２０に記載の方法を実施可能なデータを記録された形態で含む電子記録媒体。
【請求項２３】
遠隔通信ネットワークでダウンロードするために請求項２１に記載のファイルを利用提供する方法。
【発明の詳細な説明】
【技術分野】
【０００１】
本発明は化粧剤アプリケータに関する。
【背景技術】
【０００２】
マスカラ製品すなわち「マスカラ」は、一般にマスカラリザーバとアプリケータとを含む。特に、棒ブラシタイプと、射出成形タイプとの２種類のアプリケータが存在する。棒ブラシタイプのアプリケータは、アプリケータのコアを形成する撚り合わせ金属線内にファイバーからなる毛を閉じ込めたブラシを形成する。射出成形タイプのアプリケータは単一部品であり、プラスチック材料からなる毛または歯を含む。このようなアプリケータは、ユーザに対して満足のいく結果を与える。しかし、ユーザは、常に、新しい、あるいはより優れたメーキャップ効果、ならびに、ますます快適な使用（ａｐｐｌｉｃａｔｉｏｎ）を求めている。そうした改良の中では、睫毛のよりよい分離、睫毛を長く見せる効果および／または睫毛をカールさせる効果、あるいはまた、一列の睫毛の睫毛位置に応じた異なるメーキャップ効果の研究に注目することができる。
【発明の概要】
【発明が解決しようとする課題】
【０００３】
したがって、本発明の目的は化粧剤アプリケータを改良することにある。
【課題を解決するための手段】
【０００４】
このため、本発明によれば、睫毛用の化粧剤のアプリケータは、空洞を有するコアと、この空洞をコアの外部に通じさせる側面穴とを含み、この穴が五点形に配置される。
【０００５】
したがって、専用のリザーバにアプリケータを浸すと、穴と空洞に化粧剤を充填させることができる。その後、メーキャップ時に、アプリケータを被う化粧剤が睫毛に塗布される。一方で、化粧剤はまた、徐々に穴から排出されていく。これは、睫毛が穴に接触する通過作用で発生する。これはまた、場合によってはコアのたわみおよび／または圧縮の結果として得られ、その場合、コアは若干スポンジのような作用をする。実際、穴はコアの強度を弱め、コアにいっそうの柔軟性を与える。当然のことながら、こうした柔軟性は、コアのために選択された様々な寸法と１つまたは複数の材料とに依存する。
【０００６】
有利には、コアが円筒形である。
【０００７】
非円筒形のコア、たとえばその長さにわたって膨らみを有するコアでも本発明を実施可能であるが、コアを円筒形にすると有利である。なぜなら、このような円筒形は、アプリケータに沿ってまんべんなく化粧剤を充填するとともに、睫毛の列に化粧剤を適切に配分することによって均質なメーキャップを得やすくするからである。
【０００８】
有利には、コアは、アプリケータの主軸に垂直な平面でコアの任意の１つの断面が凸面になるような形状を有する。
【０００９】
上記特徴を持たないコアでも本発明を実施可能であるが、この特徴は、アプリケータの全周にわたって化粧剤を均質に充填するとともに、睫毛の上への化粧剤の均質な塗布をうながしながらメーキャップを容易にするので有利である。
【００１０】
好ましくは、少なくともいくつかの穴が、アプリケータの主軸に平行な長軸を有する。
【００１１】
有利には、穴が、アプリケータの主軸に垂直な平面に延びるクラウンを形成し、少なくともいくつかの穴は、それらの長軸に沿って上方および下方の頂点を有し、少なくとも１つの穴の上方の頂点は、それよりも上にある連続する１つのクラウンの少なくとも１つの穴の下方の頂点よりも前記アプリケータの遠位端に近い。
【００１２】
好ましくは、コアが回転対称形である。
【００１３】
有利には、穴が、アプリケータの主軸に垂直な平面に延びる複数のクラウンを形成し、１つのクラウンの２個の穴の間の距離が、このクラウンの平面に沿って、２個の穴のうちの一方の穴の大きい方の寸法未満である。
【００１４】
好ましくは、穴が、アプリケータの主軸に平行な複数の列を形成し、１つの列の２つの穴の間の距離が、主軸に沿って、２個の穴のうちの一方の穴の大きい方の寸法未満である。
【００１５】
また、少なくともいくつかの穴が多角形であるように構成可能である。
【００１６】
有利には、少なくともいくつかの穴が菱形である。
【００１７】
この形状は、コアの壁における穴の配置を最適化できるので、五点形の穴の配置に適している。
【００１８】
好ましくは、少なくともいくつかの穴が同一であり、好ましくは、すべての穴が同一である。
【００１９】
好ましくは、各穴が、空洞に向かって配向された法線方向の一段と小さい断面を有し、これらの穴の一段と小さい断面の集合がコアの壁の面積の半分未満を占有する。
【００２０】
そのため、アプリケータで穴が占有する面積は比較的小さい。これによって、コアの壁が強化され、アプリケータの堅牢性が保たれる。
【００２１】
１つの変形実施形態では、穴が、アプリケータの長さの半分未満を形成するアプリケータ区間に延びる。
【００２２】
その場合、アプリケータが、このアプリケータの長さの半分以上にわたって複数の突起を含むように構成可能である。
【００２３】
このようにして、メーキャップ中の化粧剤の再充填作用は、上記のアプリケータ区間でのみ実施される。したがって、ユーザは、化粧剤をそれほど充填されないアプリケータ領域の１つまたは複数の残っている区間を自由に使用し、比較的少ない化粧剤を睫毛に塗布しながら睫毛を梳かして配向することができる。
【００２４】
有利には、各穴が、コアの１周の２０％未満、好ましくは１周の１５％未満、たとえば１周の１０％未満にわたって延びる。
【００２５】
これによって、メーキャップ時に睫毛が穴を通り抜けないようにする。これらの寸法は同様にアプリケータの堅牢性を高める。
【００２６】
好ましくは、少なくともいくつかの穴が、１つの外側の面取り部を有する。
【００２７】
したがって、この面取り部は、メーキャップの際に化粧剤が穴の外に出ることを容易にし、また化粧剤と睫毛との接触を容易にする。
【００２８】
好ましくは、アプリケータが複数の突起を含み、すべての突起が完全に穴の外に延びている。
【００２９】
そのため、穴は、メーキャップ時の化粧剤の受容とその後の排出とを行うために完全に空いている。また、睫毛への化粧剤の塗布に主に貢献する突起は穴と干渉しない。
【００３０】
有利には、菱形の形状の少なくとも幾つかの穴が８個の突起により囲まれており、すなわち、４個の突起が穴の４個の頂点に向かい合って延び、４個の突起が穴の各辺の中央に向かい合って延びている。
【００３１】
好ましくは、突起がアプリケータの主軸に平行な複数の列を形成し、少なくともいくつかの列が互いに異なる数の突起を有している。
【００３２】
好ましくは、突起が、アプリケータの主軸に垂直な複数のクラウンを形成し、少なくともいくつかのクラウンが、互いに異なる数の突起を有している。
【００３３】
列またはクラウン内の突起数が異なることに関するこの２つの特徴によって、他の領域より多く化粧剤を充填した領域を列またはクラウン内に設けることができる。したがって、化粧剤のために局部的な備蓄を形成して睫毛への化粧剤の塗布を改善し、一段と突起が密集した列またはクラウンの他の部分により得られるコーム効果を損なうことがない。
【００３４】
好ましくは、アプリケータが単一部品からなる。
【００３５】
これは、特に、後述するように付加合成により製造されるアプリケータに関与しうる。
【００３６】
本発明によれば、同様に、化粧剤のリザーバと、本発明によるアプリケータとを含む化粧品を提供する。
【００３７】
本発明によればまた、このようなアプリケータの付加合成による製造方法を提供し、この方法は、
−アプリケータに関するデータを得る工程、および、
−データによりアプリケータを付加合成する工程
を含む。
【００３８】
特に、この製造モードの長所は、複雑な構造を有するアプリケータの製造を可能にすることにあり、こうした複雑な構造では、いくつかの逆抜き勾配部分の存在を特に考慮すると、射出成形が難しく、さらには不可能である。
【００３９】
本発明を製造するために、当該技術の専門家に知られた様々な付加合成方法を使うことができる。たとえば選択的レーザ焼結（ＳＬＳ：Ｓｅｌｅｃｔｉｖｅ  Ｌａｓｅｒ  Ｓｉｎｔｅｒｉｎｇ）およびステレオリソグラフィ（ＳＬＡ）が挙げられる。付加合成による化粧剤アプリケータの製造方法の一例は、本出願人名義の特許文献1に記載されている。
【００４０】
本発明によれば、本発明による方法の実施を命令するためにコンピュータプログラムにより使用可能なデータを含む、情報処理ファイルを同様に提供する。
【００４１】
本発明によればまた、このような方法を実施可能なデータを記録された形態で含む電子記録媒体を提供する。
【００４２】
さらに、本発明によれば、遠隔通信ネットワークでダウンロードするためにこのようなファイルを利用提供する方法を提供する。
【先行技術文献】
【特許文献】
【００４３】
【特許文献１】国際公開第ＷＯ２００８／１１３９３９号パンフレット
【図面の簡単な説明】
【００４４】
以下、添付図面に基づいて限定的ではなく例として挙げられた本発明の１つの実施形態および１つの変形実施形態について説明する。
【図１】本発明の１つの実施形態による化粧品を示す縦断面図である。
【図２】図１の化粧品のアプリケータをその軸およびリザーバのキャップと共に示す側面図である。
【図３】図２のアプリケータの拡大図である。
【図４】図２のアプリケータの拡大図である。
【図５】図２のアプリケータの拡大図である。
【図６】図２のアプリケータの拡大図である。
【図７】図３のアプリケータの端部を示す図である。
【図８】図３のアプリケータのコアを示す平面展開図である。
【図９】本発明によるアプリケータの変形実施形態を示す図３と同様の図である。
【発明を実施するための形態】
【００４５】
本発明による化粧品の第１の実施形態を図１から図８に示した。
【００４６】
化粧品２は、この場合はマスカラである化粧剤６のためのリザーバを有する容器４を含む。容器は、この容器４の最大横断寸法より直径が小さい首部８を上部に有する。化粧品は、首部８の内部に固定された、たとえば円錐台形の搾り部１０を含む。
【００４７】
化粧品は、ロッド１４の端部に固定されたアプリケータ１２を含み、ロッドはその他端でキャップ１６を支持している。化粧品は、ロッド１４の遠位端部分とアプリケータ１２の全体とが化粧剤６内に浸る位置でキャップ１６を首部８にねじ止めできるように構成されている。図１で示したのはこの構成である。そのとき、化粧品は閉じられている。
【００４８】
次に、アプリケータ１２のさらなる詳細について説明する。アプリケータは長手軸１８を有し、この長手軸は、ロッド１４と、キャップ１６と、化粧品２のアセンブリとの長手軸に一致する。
【００４９】
アプリケータは、コアまたは本体２０を含む。コアは、軸１８を中心としてほぼ回転対称形である。
【００５０】
コアは、ここでは円筒形の外面２２を有する壁を含む。さらに、コアは、軸に垂直な平面でコアの任意の１つの断面が凸面になるように形成される。外面２２は、軸に垂直なほぼ円形の断面を有する。そのため、軸は、ほぼスリーブまたはチューブの形状を有する。
【００５１】
コア２０は中空である。壁は、同様に、軸１８に垂直な平面で円形の断面を有する円筒形の内面を備える。そのため、コアが空洞を画定する。図３からわかるように、この空洞は、コアの軸方向の両端で塞がれる。
【００５２】
コアの壁は穴があけられている。そのため、コアの壁は、コアの外部とコアの空洞とをそれぞれが通じさせるように横方向の開口部または穴２４を備えている。
【００５３】
この場合、すべての穴は同じである。ここでは、穴は多角形、四辺形であり、菱形でもある。菱形は、その長い方の対角線が軸１８に平行になるように配置されるので、短い方の対角線はコアの周方向に延びる。
【００５４】
特に図５と図６からわかるように、各穴は面取りされている。そのため、コアの外面２２に隣接する第１の面取り部である外側の面取り部、すなわち主要面取り部２６を有する。この面取り部はそれ自体が第２の面取り部２６、すなわち内側の面取り部により穴の内部に向かって延長されている。したがって、この第２の面取り部に続く穴の部分は、穴の様々な断面の中で最小断面を有する部分である。この断面は、軸１８に対する半径方向に対して垂直な平面でとられる。したがって、この方向は、空洞に向かう向きである。換言すれば、この断面は、空洞と軸とに向かう法線方向を有する。
【００５５】
穴２４の数とそれらの寸法は、これらの小断面の集合が、コアの外面の総面積の半分未満を占有するように選択される。コアを仮想的に平面に展開した図８で観察されるのがそれである。換言すれば、コアの側面領域は主に、穴２４ではなく面２２の非中空部分により占有される。
【００５６】
さらに、各穴の寸法は、コアの１周の２０％未満、好ましくは１周の１５％未満、たとえば１周の１０％未満に延びるように選択される。この場合、周方向に最大寸法を構成する菱形の短い方の対角線がコアの円周全体の寸法に対して有する比率は４〜４５であり、その結果、穴の寸法はコアの１周の８．８９％にわたって延びる。この場合、これらの測定は外側の面取り部の内縁でなされているので、穴の最小断面で同じ測定をした場合、上記の比率はさらに小さくなる。外側の面取り部の外縁で測定した場合の比率は６〜４５となり、すなわち約１３．３％になる。
【００５７】
穴２４は、軸１８に平行な直線状の複数列を形成するように配置される。さらに、これらの穴は、軸１８を中心として穴のクラウンを形成するように配置され、同一クラウンの複数の穴は同一平面に延びる。また、穴は五点形に配置される。そのため、同一列の隣り合った２個の穴の中心を隔てる距離を、単位と定義すると、１つの列の複数の穴は、隣り合った２列の穴に対して軸方向に半単位オフセットされる。同様に、同一クラウンの隣り合った２個の穴の中心を隔てる距離を、単位と定義すると、１つのクラウンの複数の穴は、隣り合った２つのクラウンの穴に対して周方向に半単位オフセットされる。
【００５８】
この場合、すべての列が７個の穴２４を含む。列数は１０である。クラウン数は１４であり、各クラウンが５個の穴を含む。したがって、穴数は７０である。
【００５９】
もちろん、この数は限定的ではない。より一般的には穴数を１５〜２８０、さらには３０〜１４０、さらには６０〜９０にすることも可能である。
【００６０】
列およびクラウンの配置および穴２４の寸法は、菱形が、らせん形の列を同様に形成するように選択される。さらに、らせん形の各列では、菱形の対向する２辺が互いに共線となる。互いに最も近い４個の穴の任意の１つのグループを考慮する場合、それらの中心は、各穴の菱形と同じ比率を有する１つの菱形を形成する。
【００６１】
したがって、穴は、格子模様または網状模様を形成することがわかる。
【００６２】
たとえば、長さ０．９ｍｍ×０．４ｍｍの対角線を持つ菱形を挙げることができる。
【００６３】
アプリケータは同様に、この場合には毛を形成する突起３０を含む。すべての突起は外面２２を起点として延びており、穴２４の１つの中に延びているものは一切なく、面取り部の１つを起点としているものもない。突起の長さが短いアプリケータの遠位端領域内を除いて、アプリケータのすべての突起は同じ長さである。本件の場合、この長さはコアの直径の８０％を上回り、より一般的には、この直径の５０％を上回る。
【００６４】
突起３０は、すべてが、軸１８に対して半径方向に延び、この軸に対して垂直である。
【００６５】
突起は次のように配置される。
【００６６】
図８では、１０列の穴の左から右に１から１０の番号を振っている。
【００６７】
列番号１では、この列の連続する各組の菱形の間に１個の突起３０が延びている。しかし、突起は、これらの菱形の端部から離れて延びている。一方で突起は、隣り合った２列の隣り合った菱形の端部に隣接している。
【００６８】
次の列番号２では突起３０の配置が同じである。
【００６９】
列番号３では、今度は、２個の突起３０がこの列の連続する各組の菱形の間に延びており、各突起が、考慮された菱形の１つに隣接している。
【００７０】
列番号４では、突起の配置が同じである。
【００７１】
列番号５、６、９、１０では、配置は列番号１と２の配置と同じである。
【００７２】
列番号７と８では、配置は列番号３と４の配置と同じである。
【００７３】
さらに、２列の隣り合った菱形の対向する辺の間には、他の突起３０、（ここでは中間突起と呼ぶ）が配置される。そのため、考慮された各組の辺に対して、この２辺に隣接する１つの突起がみられる。これらの二次的な突起は、軸１８に垂直な同一平面に延びて他の突起を全く含まない突起のクラウンを形成する。
【００７４】
したがって、このような構成を理由として、突起は、軸１８に平行な直線状の複数列を形成し、同数の突起を持つ列もあれば、そうでない列もある。このようにして、番号１と２の各列では７個の突起がみられる。番号３と４の列では１４個である。中間突起の各列では同様に１４個の突起がみられる。そしてここでは全部で１８列の突起３０が数えられる。
【００７５】
特に図７から分かるように、この構成により、これらの列は軸を中心として均質に配分される。
【００７６】
同様に、これらの突起３０は、軸１８に垂直な各平面に延びる複数のクラウンを形成し、同数の突起を持つクラウンもあれば、そうでないクラウンもある。そのため、中間突起の各クラウンは１０個の突起を含む。他のクラウンでは、ある時は２個、ある時は３個の突起がみられる。ここでは全部で４２列の突起３０が数えられる。
【００７７】
当然のことながら、列ごと、クラウンごとの穴の数および列ごとクラウンごとの突起の数に関するこれらのすべての数字は限定的ではなく、他の多数の構成を検討可能である。
【００７８】
このアプリケータは単一部品である。これは、たとえばプラスチック材料から形成される。
【００７９】
化粧品は、睫毛または眉毛を化粧する役割を果たす。休止時に、化粧品は図１の構成にあり、アプリケータ１２はリザーバのマスカラ６内に浸されている。アプリケータの空洞と穴２４はマスカラで満たされている。
【００８０】
化粧品を使用する場合、ユーザはキャップ１６を緩めてからアプリケータ１２をリザーバから引き出す。アプリケータは、このように引き出す間に搾り器１０を介して絞られ、余分なマスカラを除去される。このような絞りによって、突起３０にある余分な化粧剤が除去される一方で、穴２４と空洞にある化粧剤の大部分は保持される。
【００８１】
その後、ユーザは、アプリケータを睫毛に位置付けてマスカラを塗る。したがって、突起についた化粧剤が徐々に睫毛に移っていく。この動きの間、穴に収容されている化粧剤の一部が毛管現象により面２２と突起とに移る。さらに、睫毛は、マスカラを睫毛に直接充填するために穴の表面に移行するように導かれる。アプリケータの寸法とその材料は、アプリケータに特定の柔軟性を与えるように選択されるので、アプリケータは、その断面の反射運動と収縮運動とを有し、これらの運動によって同様に化粧剤をさらに出しやすくして空洞から穴、次いでコアの外に移行させるようにする。したがって、リザーバに浸すことによってアプリケータにマスカラを頻繁に充填しなおす必要はない。穴２４と空洞は、実際、突起３０に、また、睫毛にマスカラを塗布するにつれて睫毛に、だんだんとマスカラを供給する役割を果たす。これに関して、アプリケータは若干スポンジとして作用し、メーキャップを行うにつれて穴の外にマスカラを吐出する。さらに、突起の列はまた、実際、睫毛をとかして分離させ、だまが形成されないようにする。列は、マスカラをむらなく睫毛に被着しやすくし、睫毛を長くしてかつボリュームを持たせる効果を与えるのに貢献する。
【００８２】
図９の変形実施形態では、アプリケータ２０は、穴がアプリケータの狭い部分にのみ存在する点だけが図３のアプリケータと相違している。そのため、アプリケータは、その長さの半分以上にわたって穴がなく、穴は遠位端区間だけに延びている。
【００８３】
この区間は、アプリケータの全長Ｌの半分未満の長さｌ１を有する。図９のアプリケータの下部は、この全長に考慮されない。なぜなら、この下部はロッド端部に差し込まれるのでメーキャップに一切貢献しないからである。
【００８４】
さらに、遠位端区間では、穴２４がアプリケータの円周全体に延びているわけではない。穴は、少数の円筒区間、この場合には、軸１８を中心として規則正しく配分された全部で４個の円筒区間に配置される。そのため、図９に示された区間では、９個の穴２４が弁別される。したがって、アプリケータはこの場合はたった３６個の穴だけを含んでいる。より一般的には、このようなアプリケータは、たとえば１５個から１４０個の数の穴を含むことができる。それに対して突起の配置と数は変わらない。しかし、当然のことながら、突起の数および／または配置を同様に修正することも検討可能である。
【００８５】
そのため、この変形実施形態では、アプリケータがその全長Ｌの大部分にわたって突起３０を含む一方で、アプリケータの遠位端区間で穴２４と空洞とにより得られる化粧剤の再充填効果が約束される。このようにして得られるアプリケータは、メーキャップ時にリザーバ出口において、突起３０を有するが穴２４がないアプリケータの残りの部分よりも、穴を備えた遠位端区間での方が、マスカラをいっそう充填される。
【００８６】
上記のアプリケータは、ここでは単一部品で製造される。特に、これらのアプリケータはここでは、３Ｄ印刷とも呼ばれる付加合成により製造される。
【００８７】
これらのアプリケータの実現には、すべての材料が適している。これは、プラスチック材料、たとえばポリアミド、特にポリアミド１１０２、ＰＥＢＡ２３０１、またはＡＢＳタイプの樹脂か、あるいはまたステンレスまたはチタン等の粉末金属とすることができる。たとえば脂肪族ポリアミド系の熱可塑性ポリマーであるポリアミド１１（ポリウンデカンアミド、ナイロン１１、ＰＡ１１、「フランスナイロン」と呼ばれることもある）を選択可能である。
【００８８】
材料は、剛性とすることができるが、好ましくは弾性的にたわむ。材料は、アプリケータの形状特性と組み合わせてアプリケータに特定の柔軟性を与えることが好ましい。
【００８９】
マスカラアプリケータの長さは一般に２０ｍｍ未満であることを想起する。
【００９０】
上記のアプリケータを実現するために複数の付加合成方法を使用可能である。特に、粉末材料からの選択的レーザ焼結とステレオリソグラフィ（ＳＬＡ）を挙げることができる。本件の場合、選択的レーザ焼結方法が使用され、この方法は、複雑な形状の物体を製造できるという長所を持っている。
【００９１】
アプリケータは、最初に、コンピュータ設計支援ソフトウェア（ＣＡＯ）で設計される。次いで、このように設計されたアプリケータの設計データを含むフォーマットＳＴＬのファイルを出力する。これらのデータはアプリケータの形状を決定する。付加合成のための標準ファイルの他のフォーマットを使用してもよい。
【００９２】
その後、このファイルは、付加合成を実施するために使用される機械メーカーが提供するソフトウェアにより処理される。このソフトウェアは、フォーマットＳＬＩまたはＢＦＦの特定のデジタル画像の形態でファイルを幾つかの区間に切断し、その各々が、印刷すべきモデルの１つの層、すなわちアプリケータの長手軸に垂直な平面でとられるアプリケータ区間に対応する。その後、これらのデータをプリンタに伝送してアプリケータを生産する。
【００９３】
付加合成が終了すると、アプリケータに様々な処理を施して、たとえば外観を改善することができる。
【００９４】
もちろん、本発明の範囲を逸脱せずに本発明に多数の修正を行うことができる。
【００９５】
円筒形ではなく、その断面が円形ではない形状、および／または回転対称形ではない形状をアプリケータに与えることも可能である。アプリケータの断面は、たとえば楕円形とすることができる。
【００９６】
穴２４は必ずしも四辺形やさらには多角形ではない。穴は、たとえば円形または四角形の形状にすることができる。本発明による同一アプリケータの幾つかの穴は、互いに異なる形状を有することができる。
【００９７】
ここで示したアプリケータはほぼ直線状であるが、直線でない形状、たとえば曲線もしくは波形の形状をアプリケータに与えることもできる。
【００９８】
上記のアプリケータは、毛を形成する同一の複数の突起３０を含んでいるが、これらの突起が歯を形成し、あるいはまたアプリケータが、毛を形成する突起と歯を形成する他の突起を含むように構成することも同様に可能である。
【図１】
2020501730.tif 000003
【図２】
2020501730.tif 000004
【図３】
2020501730.tif 000005
【図４】
2020501730.tif 000006
【図５】
2020501730.tif 000007
【図６】
2020501730.tif 000008
【図７】
2020501730.tif 000009
【図８】
2020501730.tif 000010
【図９】
2020501730.tif 000011
【国際調査報告】
2020501730.tif 000012
2020501730.tif 000013
2020501730.tif 000014
2020501730.tif 000015